(57)【要約】【課題】配送伝票と配送書類を一体化でき、かつＮＩＰ印字適性に優れたラベル帳票を提供する。【解決手段】台紙１１−１の上に上紙１１−２を貼合してシート体１１を作製し、このシート体１１上にラベル部Ｐ１と帳票部Ｐ２を連設する。ラベル部Ｐ１は台紙１１−１表面の剥離剤層１４と上紙１１−２裏面の粘着剤層２４で剥離可能に接着するとともに、帳票部Ｐ２は折り線（またはミシン目）１３で伝票記載片Ｐ２１と情報記載片Ｐ２２に区画して、伝票記載片Ｐ２１では上紙１１−２裏面の粘着剤層２４で完全接着し、情報記載片Ｐ２２では台紙１１−１表面の粘着剤層１６と上紙１１−２裏面の剥離剤層２６で剥離可能に接着する。そして、隠蔽情報記載欄３２は伝票記載片Ｐ２１の台紙１１−１裏面に設けるものとする。【選択図】図４
2005125599.tif 000002
【特許請求の範囲】
【請求項１】
台紙上に上紙を貼合したシート体にラベル部と帳票部を備えたラベル帳票であって、
前記ラベル部は、台紙表面の剥離剤層と上紙裏面の粘着剤層により台紙と上紙が剥離可能に接着されており、
前記帳票部は、折り線またはミシン目を介して伝票記載片と情報記載片に区画されて、
前記伝票記載片では、上紙裏面の粘着剤層により台紙と上紙が剥離不能に完全接着されるとともに、台紙裏面に隠蔽情報記載欄が設けられ、
前記情報記載片では、台紙表面の粘着剤層と上紙裏面の剥離剤層により台紙と上紙が剥離可能に接着されている
ことを特徴とするラベル帳票。
【請求項２】
台紙上に上紙を貼合したシート体にラベル部と帳票部を備えたラベル帳票であって、
前記ラベル部は、台紙表面の剥離剤層と上紙裏面の粘着剤層により台紙と上紙が剥離可能に接着されており、
前記帳票部は、切り取り線を介して伝票記載片と情報記載片に区画されて、
前記伝票記載片では、台紙表面の剥離剤層と上紙裏面の粘着剤層により台紙と上紙が剥離可能に接着され、
前記情報記載片では、上紙裏面の粘着剤層により台紙と上紙が剥離不能に完全接着されるとともに、台紙裏面に隠蔽情報記載欄が設けられている
ことを特徴とするラベル帳票。
【請求項３】
請求項１または請求項２に記載のラベル帳票において、
前記伝票記載片が輪郭切り取り線を介して本票と分離票に区画され、分離票の上紙裏面には前記粘着剤層が設けられていない
ことを特徴とするラベル帳票。
【請求項４】
請求項１ないし請求項３のいずれか１項に記載のラベル帳票において、
前記台紙裏面と前記上紙表面にはともに糊類が塗工されていない
ことを特徴とするラベル帳票。
【発明の詳細な説明】
【技術分野】
【０００１】
本発明は、特に通信販売業界，百貨店業界，運輸業界で使用される配送伝票として好適なラベル帳票に関する。
【背景技術】
【０００２】
図１１に示したように、例えば通信販売で注文された商品を発送する場合、発送者は商品の流れを管理するために商品を梱包したケース１の外側に配送伝票２を貼付して発送している。また、商品と一緒に納品書３などの必要書類を配送することがあるが、納品書３には請求金額の明細のように他人に知られたくない内容も含まれているので、配送時には外部から判読できないようにしなければならない。
【０００３】
そこで、従来は納品書３を封入した封筒４をケース１の外側に貼付するか、またはケース１の中に同封して配送する方法が採られている。そして、配送業者はケース１を配達し終えると、配送伝票２の配達票２ｂに受取人の捺印またはサインをもらい、配達票２ｂを貼付票２ａから切り離して配達控えとして持ち帰るものとしている。
【０００４】
ところで、配送伝票２に記載される情報と納品書３に記載される情報は、配送先，配送元，商品名のように共通する内容が多く含まれており、発送者にとっては印刷効率やデータマッチング等の観点から配送伝票２と納品書３を同時に印字できるようにしたいという要望がある。また、配送時に掛かる諸費用を負担する発送者にとっては、配送伝票２，納品書３，および封筒４という３つの媒体を用意するよりも配送伝票２と納品書３を一体化して作製した方が材料コストを削減できるので望ましい。
【０００５】
その一方で、近年では配送伝票とその他の必要書類とを一体化した帳票がいくつか提案されている。
【０００６】
例えば、特許文献１には３つ折り形式の送り状が開示されている。この送り状は、宛名記載部となる上片と、返信用葉書となる中片と、商品情報記載部となる下片がミシン線を介して連接されている。また、上片の端部にはミシン線を介して裏面側に両面粘着テープを貼付した貼着部が設けられており、下片の端部にはミシン線を介して配送情報が記載される配送記録片が設けられている。そして、使用時には３つ折りして紙間を擬似接着した送り状を両面粘着テープでケースに貼り付けて配達し、配達先で配送記録片を送り状から切り離して持ち帰るものとしている。
【０００７】
また、特許文献２には、折り畳み式の配送伝票が開示されている。この配送伝票は、貼付票と配達票がスリットを介して分離可能に連接されている。また、配達票の端部には領収票と入金票が折り兼切り用ミシン目を介して連接されており、領収票と入金票は配達票の上に折り重ねて端部の接着剤で貼り合わされている。さらに、貼付票と配達票の裏面に再剥離型接着層を介して剥離可能に貼着シートが接着され、貼着シートの裏面に接着層を介して剥離紙が貼付されている。そして、使用時には剥離紙を剥がしてケースに貼り付けて配達し、配達先で配達票を貼付票から切り離し、さらに配達票から切り離した領収票を受取人に手渡すものとしている。
【０００８】
【特許文献１】特開２０００−１７７２７７号公報
【０００９】
【特許文献２】特開２００１−１２１８４３号公報
【発明の開示】
【発明が解決しようとする課題】
【００１０】
上述したように、特許文献１に開示された送り状では配送伝票から返信用葉書と商品情報記載部をそれぞれ分離でき、特許文献２に開示された配送伝票では配送伝票から領収票と入金票をそれぞれ分離できることから、配送伝票とその他の書類とを一体化した帳票としての利用価値は高い。
【００１１】
しかしながら、特許文献１に開示された送り状にあっては上片の裏面端部に両面粘着テープを貼付した貼着部が設けられており、また特許文献２に開示された配送伝票にあっては貼付票と配達票の裏面に貼着シートと剥離紙が貼付されていることにより、一枚帳票で構成された配送伝票の紙面に段差ができてしまう。このため、配送伝票とその他の書類に共通する情報をノンインパクトプリンタ（以下「ＮＩＰ」という）で同時に印字する場合に、この段差が原因でトナーを安定して転写させることができず、トナーの転写ムラによる印字抜けやかすれ等の印字不良が発生してしまい、ＮＩＰ印字適性が得られないという欠点がある。また、この段差が原因でプリンタ内での搬送トラブルが発生することも考えられる。
【００１２】
本発明は、このような事情に鑑みてなされたもので、その目的とするところは、配送伝票と配送書類の一体化を可能にし、かつＮＩＰ印字適性に優れたラベル帳票を提供することにある。
【課題を解決するための手段】
【００１３】
本発明は、上記目的を達成するために、台紙上に上紙を貼合したシート体にラベル部と帳票部を備えたラベル帳票であって、前記ラベル部は、台紙表面の剥離剤層と上紙裏面の粘着剤層により台紙と上紙が剥離可能に接着されており、前記帳票部は、折り線またはミシン目を介して伝票記載片と情報記載片に区画されて、前記伝票記載片では、上紙裏面の粘着剤層により台紙と上紙が剥離不能に完全接着されるとともに、台紙裏面に隠蔽情報記載欄が設けられ、前記情報記載片では、台紙表面の粘着剤層と上紙裏面の剥離剤層により台紙と上紙が剥離可能に接着されていることを特徴とするラベル帳票を提供するものである。
【００１４】
ここで、この発明において使用する台紙と上紙は、ともにＮＩＰ印字適性を備えた印刷用紙で構成されていることが好ましい。例えば上質紙，軽量コート紙，コート紙，アート紙等が使用でき、この中でもＮＩＰ印字適性に優れた上質紙が好適である。
【００１５】
また、粘着剤層は、例えばアクリル系糊，ゴム系の天然ゴム糊，合成ゴム糊，あるいは天然ゴム糊と合成ゴム糊を混ぜ合わせた糊などの各種の糊類を用紙上に塗工することで形成でき、剥離剤層は、例えば主成分にシリコーンが含有された各種の紫外線硬化型インキを用紙上に印刷して乾燥させることで形成できる。
【００１６】
さらに、この発明において「折り線」とは、用紙にカット加工せずにプレス加工のみを施したミシン目のように、用紙が切断されないようにしつつ用紙を折り曲げ易くした線のことをいう。また、折り線に替えてカット加工を施したミシン目でも良いが、この場合のミシン目はカット部の長さや深さを調節して切断されにくいミシン目にする必要がある。
【００１７】
この発明の構成によると、台紙と上紙がともに印刷用紙で構成されており、かつ台紙裏面と上紙表面にはともに上述した糊類が一切塗工されておらず段差ができないため、シート体の両面にＮＩＰ印字が可能になる。そして、台紙にある折り線を谷折りして帳票部をケースに貼り付けることで情報記載片が隠蔽情報記載欄の上に重なるので、印字された情報を外部から判読できないように隠蔽した状態で発送できる。さらに、ラベル部と情報記載片を貼り付けたままの状態で伝票記載片だけをシート体から切り離すことができるので、伝票記載片を配送書類として保管できる。
【００１８】
また、この出願の別発明は、台紙上に上紙を貼合したシート体にラベル部と帳票部を備えたラベル帳票であって、前記ラベル部は、台紙表面の剥離剤層と上紙裏面の粘着剤層により台紙と上紙が剥離可能に接着されており、前記帳票部は、切り取り線を介して伝票記載片と情報記載片に区画されて、前記伝票記載片では、台紙表面の剥離剤層と上紙裏面の粘着剤層により台紙と上紙が剥離可能に接着され、前記情報記載片では、上紙裏面の粘着剤層により台紙と上紙が剥離不能に完全接着されるとともに、台紙裏面に隠蔽情報記載欄が設けられていることを特徴とする複合帳票を提供するものである。
【００１９】
ここで、この発明において「切り取り線」とは、用紙にあらかじめカット部とアンカット部を形成したミシン目のように、カッター等の刃具を使用しなくても用紙を切断できるようにした線のことをいう。
【００２０】
この発明の構成によると、台紙と上紙がともに印刷用紙で構成されており、かつ台紙裏面と上紙表面にはともに上述した糊類が一切塗工されておらず段差ができないため、シート体の両面にＮＩＰ印字が可能になる。そして、台紙を裏にして帳票部をケースに貼り付けることで隠蔽情報記載欄が裏面側に位置するので、印字された情報を外部から判読できないように隠蔽した状態で発送できる。さらに、切り取り線を切断すればラベル部と伝票記載片を貼り付けたままの状態で情報記載片だけをシート体から切り離すことができるので、情報記載片を配送書類として保管できる。
【００２１】
また、本発明の一実施態様として、前記伝票記載片が輪郭切り取り線を介して本票と分離票に区画され、分離票の上紙裏面には前記粘着剤層が設けられていない構成を採用することもできる。このような構成によれば、配送業者が分離票を伝票記載片から切り離して配達票として持ち帰ることができ、その際に分離票は台紙の上に重なっているだけの状態なので、台紙から簡単に分離することができる。
【発明の効果】
【００２２】
本発明に係るラベル帳票によると、配送伝票と配送書類を一体化した１つの媒体で作製でき、かつ配送書類の記載事項を外部から判読できないように隠蔽した状態で発送できるという効果を有する。また、シート体は２枚の用紙を貼合して印字面に段差をなくした構成になっており、ＮＩＰ印字適性に優れる上に両面に印字が可能であるため、配送伝票と配送書類に記載すべき共通情報を同時に印字して情報のマッチングミスを未然に防ぐことが可能になるという効果を有する。
【発明を実施するための最良の形態】
【００２３】
以下、本発明の実施の形態について、添付図面を参照しながら詳細に説明する。
【００２４】
図１ないし図５は第１実施形態のラベル帳票を表わしている。図１に示したラベル帳票Ｐは、通信販売業者や百貨店業者が商品と一緒に書類を配送する際に、配送伝票と配送書類を一体化して送ることができるようにした帳票である。このラベル帳票Ｐは、上質紙を使用した台紙１１−１の上に同じく上質紙を使用した上紙１１−２を重ね合わせて貼合したシート体１１で構成されており、シート体１１の表裏面、つまり上紙１１−２の表面と台紙１１−１の裏面の両面にＮＩＰ印字が可能になっている。また、ラベル帳票Ｐは、このシート体１１上にラベル部Ｐ１と帳票部Ｐ２を備えて構成されている。
【００２５】
図２に示したように、台紙１１−１は矩形状に成形され、台紙１１−１の表裏面には上辺Ｗ１の内側に両側辺Ｌ１，Ｌ２に対して直交する切り取り線１２が設けられている。台紙１１−１は、切り取り線１２を基準として上側に位置する狭い領域がラベル部Ｐ１，下側に位置する広い領域が帳票部Ｐ２になっている。
【００２６】
切り取り線１２と下辺Ｗ２との間の長さを略２等分する位置には、両側辺Ｌ１，Ｌ２に対して直交する折り線１３が形成されている。この折り線１３は台紙１１−１を表面側から見ると山折り線であり、台紙１１−１を裏面側から見ると谷折り線である。帳票部Ｐ２は、折り線１３を基準として上側領域の伝票記載片Ｐ２１，下側領域の情報記載片Ｐ２２の２つの紙片に区画される。また、折り曲げ易さを考慮すると、折り線１３はカット加工したミシン目でも良いが、この場合のミシン目はカット部の長さや深さを調節して切断されにくいミシン目にする必要がある。
【００２７】
すなわち、本実施形態のラベル帳票Ｐは、伝票記載片Ｐ２１を中心にしてその上下両側にそれぞれラベル部Ｐ１と情報記載片Ｐ２２が隣接する配置関係になっている。
【００２８】
ラベル部Ｐ１における台紙１１−１の表面側には、上辺Ｗ１と切り取り線１２との間に剥離剤層１４が一定の塗布幅で帯状に塗工されている（図２ａ参照）。剥離剤層１４は上紙１１−２の裏面に塗工された粘着剤層２４との接着力を弱めて上紙１１−２から台紙１１−１を剥がし易くするためのものである。
【００２９】
帳票部Ｐ２の伝票記載片Ｐ２１には、台紙１１−１の表裏面を貫通して両側辺Ｌ１，Ｌ２に対して直交する２本の切り取り線１５，１５が設けられている（図２ａ，ｂ参照）。また帳票部Ｐ２の情報記載片Ｐ２２において、台紙１１−１の表面側には、下辺Ｗ２と折り線（またはミシン目）１３との間に粘着剤層１６が全面塗工されている（図２ｂ参照）。
【００３０】
図３に示したように、上紙１１−２は台紙１１−１と同大かつ同一形状に成形され、上紙１１−２には台紙１１−１上の切り取り線１２に相当する位置に切り取り線は設けられていない。
【００３１】
上紙１１−２には、台紙１１−１上の折り線（またはミシン目）１３に相当する位置に両側辺Ｌ１，Ｌ２に対して直交する切り取り線２３が形成される（図３ａ，ｂ参照）。また帳票部Ｐ２の伝票記載片Ｐ２１は、台紙１１−１上の切り取り線１５，１５に相当する位置に上紙１１−２の表裏面を貫通して両側辺Ｌ１，Ｌ２に対して直交する２本の切り取り線２５，２５が形成されている。
【００３２】
帳票部Ｐ２の情報記載片Ｐ２２において、上紙１１−２の裏面側には下辺Ｗ２と切り取り線２３との間に剥離剤層２６が全面塗工されている（図３ｂ参照）。剥離剤層２６は、台紙１１−１の表面に塗工された粘着剤層１６との接着力を弱めて台紙１１−１から上紙１１−２を剥がし易くするためのものである。なお、情報記載片Ｐ２２には上紙１１−２を剥離するときの作業性を考慮して、下辺Ｗ２に対して直交する切り取り線２７が設けられている。
【００３３】
本実施形態では、帳票部Ｐ２の伝票記載片Ｐ２１が本票Ｐ２１１と分離票Ｐ２１２の２つの伝票に区画されている（図３ａ，ｂ参照）。本票Ｐ２１１は配送伝票の貼付票に、分離票Ｐ２１２は配送伝票の配達票になる。分離票Ｐ２１２の周囲は輪郭切り取り線２８で囲まれていて、この輪郭切り取り線２８を切断することで本票Ｐ２１１から分離票Ｐ２１２が切り離される。また分離票Ｐ２１２には、２箇所の隅部を切り落として輪郭切り取り線２８に繋がるコーナーカット部２９，２９が設けられており、分離票Ｐ２１２を本票Ｐ２１１から切り離すときに指を掛けて分離票Ｐ２１２を摘まむきっかけになるので、輪郭切り取り線２８を容易に切断できるようになっている。
【００３４】
上紙１１−２の裏面側には、切り取り線２３を基準にした上側領域、つまりラベル部Ｐ１と伝票記載片Ｐ２１に相当する位置に粘着剤層２４が塗工されている（図３ｂ参照）。なお、この粘着剤層２４は分離票Ｐ２１２に相当する領域には塗工されていない。
【００３５】
そして、台紙１１−１の上に上紙１１−２を重ね合わせると、台紙１１−１と上紙１１−２との用紙間の構造は次のようになる。
【００３６】
ラベル部Ｐ１では、台紙１１−１の表面に塗工された剥離剤層１４と上紙１１−２の裏面に塗工された粘着剤層２４とが接触して、台紙１１−１と上紙１１−２が剥離可能に接着された状態である（図４ａ参照）。
【００３７】
帳票部Ｐ２の伝票記載片Ｐ２１において、本票Ｐ２１１では上紙１１−２の裏面に塗工された粘着剤層２４によって台紙１１−１と上紙１１−２が剥離不能に完全接着されている。また分離票Ｐ２１２では上紙１１−２の裏面に粘着剤層２４が塗工されておらず、台紙１１−１の上に上紙１１−２が重なっただけの状態になっている（図４ｂ参照）。
【００３８】
帳票部Ｐ２の情報記載片Ｐ２２では、台紙１１−１の表面に塗工された粘着剤層１６と上紙１１−２の裏面に塗工された剥離剤層２６とが接触して、台紙１１−１と上紙１１−２が剥離可能に接着された状態である（図４ｃ参照）。
【００３９】
このような構成からなるラベル帳票Ｐは、商品管理を行うための配送伝票と、配送書類の一例として商品の納品書を一体化した帳票として使用される。すなわち、図１ａに示したように、伝票記載片Ｐ２１の表面側が配送伝票になっていて、本票Ｐ２１１と分離票Ｐ２１２にはそれぞれ配送先，配送元，商品名のほかに指定日や時間帯などの情報を記載する配送情報記載欄３１が印刷される。また図１ｂに示したように、伝票記載片Ｐ２１の裏面側が納品書になっていて、納品書には配送先，配送元，商品名のほかに商品番号，商品名，数量，単価，金額等からなる隠蔽情報記載欄３２が印刷される。なお、情報記載片Ｐ２２の表裏面は伝票記載片Ｐ２１と連続面になっているので、ＮＩＰでの印刷が可能であり、各種情報を印刷するフリースペースとして有効に活用することができる。
【００４０】
続いて、第１実施形態のラベル帳票の使用例を説明する。
【００４１】
まず、図５ａに示したように、ラベル帳票Ｐは、表面にある配送情報記載欄３１と裏面にある隠蔽情報記載欄３２にそれぞれ所定事項がＮＩＰ印字される。
【００４２】
次に、図５ｂに示したように、ラベル帳票Ｐの台紙１１−１側を表にして伝票記載片Ｐ２１と情報記載片Ｐ２２の間にある折り線（またはミシン目）１３を谷折りする。これにより、情報記載片Ｐ２２が納品書の上に重なって、隠蔽情報記載欄３２に印字された情報が外部から判読できないように隠蔽される。
【００４３】
次いで、図５ｃに示したように、切り取り線１２を切断して台紙１１−１を上紙１１−２から剥がす。ここで台紙１１−１には剥離剤層１４が塗工されているので、上紙１１−２の粘着剤層２４から簡単に剥がすことができる。同様にして、切り取り線２３，２７を切断して上紙１１−２を台紙１１−１から剥がす。ここでも上紙１１−２には剥離剤層２６が塗工されているので、台紙１１−１の粘着剤層１６から簡単に剥がすことができる。
【００４４】
そして、図５ｄに示したように、裏面のほぼ全面に露出した粘着剤層２４，１６によってこのラベル帳票Ｐをケース１の外側に貼り付ける。この状態でケース１が配達される。
【００４５】
配送業者はケース１を配達すると、伝票記載片Ｐ２１の分離票Ｐ２１２に受取人の捺印またはサインをもらう。その後、図５ｅに示したように、配送業者は分離票Ｐ２１２のコーナーカット部２９に指を掛けて分離票Ｐ２１２の端部を摘まみながら輪郭切り取り線２８を切断し、分離票Ｐ２１２を本票Ｐ２１１から分離して配達控えとして持ち帰る。ここで分離票Ｐ２１２には粘着剤層が塗工されておらず台紙１１−１の上に重なっているだけなので、台紙１１−１から簡単に分離することができる。
【００４６】
最後に、図５ｆに示したように、受取人は、台紙１１−１の切り取り線１５，１５と上紙１１−２の切り取り線２５，２５を切断して、伝票記載片Ｐ２１をシート体１１から切り離す。こうしてシート体１１のラベル部Ｐ１と情報記載片Ｐ２２がケース１に貼り付いたまま残り、伝票記載片Ｐ２１だけをケース１から分離することができる。分離した伝票記載片Ｐ２１はその裏面側が隠蔽情報記載欄３２になっているので、これを納品書として保管することができる。
【００４７】
以上説明した通り、本実施形態のラベル帳票Ｐは、配送伝票と納品書を一体化した１つの媒体で作製でき、かつ納品書の記載事項を外部から判読できないように隠蔽した状態で発送できる。このため、配送時に掛かる諸費用を負担する発送者にとっては、従来のように配送伝票，納品書，封筒といった３つの媒体を用意する必要がなくなり、材料コストを大幅に削減できる。
【００４８】
また、このラベル帳票Ｐでは、シート体１１が台紙１１−１と上紙１１−２を貼合したものであり、印字面となる台紙１１−１の裏面と上紙１１−２の表面にブカツキがなく段差をなくした構成になっている。このため、ＮＩＰで印字する場合にも、段差が原因で発生するトナーの転写ムラなどの印字不良や搬送トラブルが解消され、印字適性に優れるとともにシート体１１の両面に印字が可能となる。よって、配送情報記載欄３１と隠蔽情報記載欄３２に記載すべき共通情報を同時に印字でき、情報のマッチングミスを未然に防ぐことが可能になる。
【００４９】
図６ないし図１０は第２実施形態のラベル帳票を表わしている。図６に示したラベル帳票Ｐは、第１実施形態と同様に上質紙を使用した台紙１１−１の上に上質紙を使用した上紙１１−２を重ね合わせて貼合したシート体１１で構成され、上紙１１−２の表面と台紙１１−１の裏面の両面にＮＩＰ印字が可能になっている。本実施形態では、シート体１１上に形成されるラベル部Ｐ１と帳票部Ｐ２の形成箇所、およびその構成が第１実施形態と異なっている。
【００５０】
図７に示したように、矩形状に成形された台紙１１−１の表裏面には、下辺Ｗ２の内側に両側辺Ｌ１，Ｌ２に対して直交する切り取り線１５が設けられている。台紙１１−１は切り取り線１５を基準として下側に位置する狭い領域がラベル部Ｐ１，上側に位置する広い領域が帳票部Ｐ２になっている。
【００５１】
切り取り線１５と上辺Ｗ１との間の長さを略２等分する位置には、両側辺Ｌ１，Ｌ２に対して直交する切り取り線１２が設けられている。帳票部Ｐ２は、切り取り線１２を基準として上側領域の伝票記載片Ｐ２１，下側領域の情報記載片Ｐ２２の２つの紙片に区画される。
【００５２】
すなわち、本実施形態のラベル帳票Ｐは、情報記載片Ｐ２２を中心にしてその上下両側にそれぞれ伝票記載片Ｐ２１とラベル部Ｐ１が隣接する配置関係になっている。
【００５３】
ラベル部Ｐ１における台紙１１−１の表面側には、下辺Ｗ２と切り取り線１５との間に剥離剤層１４が一定の塗布幅で帯状に塗工されている（図７ａ参照）。剥離剤層１４は、上紙１１−２の裏面に塗工された粘着剤層２４との接着力を弱めて上紙１１−２から台紙１１−１を剥がし易くするためのものである。
【００５４】
図８に示したように、上紙１１−２は台紙１１−１と同大かつ同一形状に成形され、その表裏面には台紙１１−１上の切り取り線１２に相当する位置に切り取り線２２が設けられている。また上紙１１−２の表裏面には、台紙１１−１上の切り取り線１５に相当する位置に切り取り線２５が設けられている。
【００５５】
帳票部Ｐ２の伝票記載片Ｐ２１は、本票Ｐ２１１と分離票Ｐ２１２の２つの伝票に区画されている（図８ａ，ｂ参照）。本票Ｐ２１１は配送伝票の貼付票に、分離票Ｐ２１２は配送伝票の配達票になる。分離票Ｐ２１２の周囲は輪郭切り取り線２８で囲まれていて、この輪郭切り取り線２８を切断すると本票Ｐ２１１から分離票Ｐ２１２が分離される。また分離票Ｐ２１２には、２箇所の隅部を切り落として輪郭切り取り線２８に繋がるコーナーカット部２９，２９が設けられており、分離票Ｐ２１２を本票Ｐ２１１から切り離すときに指を掛けて分離票Ｐ２１２を摘まむきっかけになるので、輪郭切り取り線２８を容易に切断できるようになっている。
【００５６】
上紙１１−２の裏面側には、分離票Ｐ２１２に相当する位置を除いてラベル部Ｐ１と帳票部Ｐ２の全領域にわたって粘着剤層２４が塗工される（図８ｂ参照）。
【００５７】
そして、台紙１１−１の上に上紙１１−２を重ね合わせると、台紙１１−１と上紙１１−２との用紙間の構造は次のようになる。
【００５８】
帳票部Ｐ２の伝票記載片Ｐ２１において、本票Ｐ２１１では上紙１１−２の裏面に塗工された粘着剤層２４と台紙１１−１の表面に塗工された剥離剤層１４とが接触して、台紙１１−１と上紙１１−２が剥離可能に接着される。また分離票Ｐ２１２では上紙１１−２の裏面に粘着剤層２４が塗工されておらず、台紙１１−１の上に上紙１１−２が重なった状態である（図９ａ参照）。
【００５９】
帳票部Ｐ２の情報記載片Ｐ２２では、上紙１１−２の裏面に塗工された粘着剤層２４によって台紙１１−１と上紙１１−２が剥離不能に完全接着された状態になっている（図９ｂ参照）。
【００６０】
ラベル部Ｐ１では、台紙１１−１の表面に塗工された剥離剤層１４と上紙１１−２の裏面に塗工された粘着剤層２４とが接触して、台紙１１−１と上紙１１−２が剥離可能に接着された状態である（図９ｃ参照）。
【００６１】
このように構成されたラベル帳票Ｐも、第１実施形態と同様に、配送伝票と納品書を一体化した帳票として使用できる。すなわち、図６ａに示したように、伝票記載片Ｐ２１の表面側が配送伝票になっていて、本票Ｐ２１１と分離票Ｐ２１２にはそれぞれ配送情報記載欄３１が印刷される。また、図６ｂに示したように、情報記載片Ｐ２２の裏面側が納品書になっていて、納品書には隠蔽情報記載欄３２が印刷される。なお、伝票記載片Ｐ２１の裏面は情報記載片Ｐ２２の裏面と、また情報記載片Ｐ２２の表面は伝票記載片Ｐ２１の表面と連続面になっているので、ＮＩＰで印刷が可能であり、各種情報を印刷するフリースペースとして有効に活用することができる。
【００６２】
続いて、第２実施形態のラベル帳票の使用例を説明する。
【００６３】
まず、図１０ａに示したように、ラベル帳票Ｐは、表面にある配送情報記載欄３１と裏面にある隠蔽情報記載欄３２にそれぞれ所定事項がＮＩＰ印字される。
【００６４】
次に、図１０ｂに示したように、ラベル帳票Ｐの台紙１１−１側を表にして中央部にある切り取り線１２を切断し、台紙１１−１を上紙１１−２から剥がす。ここで台紙１１−１には剥離剤層１４が塗工されており、上紙１１−２の粘着剤層２４から簡単に剥がすことができる。同様にして、切り取り線１５を切断して台紙１１−１を上紙１１−２から剥がす。ここでも台紙１１−１には剥離剤層１４が塗工されているので、上紙１１−２の粘着剤層２４から簡単に剥がすことができる。
【００６５】
そして、図１０ｃに示したように、裏面の上下両端に露出した粘着剤層２４，２４によってこのラベル帳票Ｐをケース１の外側に貼り付ける。このとき、納品書はシート体１１の裏面側に位置し、隠蔽情報記載欄３２に印字された情報が外部から判読できないように隠蔽される。この状態でケース１が配達される。
【００６６】
配送業者はケース１を配達すると、伝票記載片Ｐ２１の分離票Ｐ２１２に受取人の捺印またはサインをもらう。その後、図１０ｄに示したように、配送業者は分離票Ｐ２１２のコーナーカット部２９に指を掛けて分離票Ｐ２１２の端部を摘まみながら輪郭切り取り線２８を切断し、分離票Ｐ２１２を本票Ｐ２１１から分離して配達控えとして持ち帰る。ここで分離票Ｐ２１２は粘着剤層が塗工されておらず台紙１１−１の上に重なっているだけなので、台紙１１−１から簡単に分離することができる。
【００６７】
最後に、図１０ｅに示したように、受取人は、台紙１１−１の切り取り線１２，１５と上紙１１−２の切り取り線２２，２５を切断して、情報記載片Ｐ２２をシート体１１から切り離す。こうしてシート体１１のラベル部Ｐ１と伝票記載片Ｐ２１がケース１に貼り付いたまま残り、情報記載片Ｐ２２だけをケース１から分離することができる。分離した情報記載片Ｐ２２はその裏面側が隠蔽情報記載欄３２になっているので、これを納品書として保管することができる。
【００６８】
このように、第２実施形態のラベル帳票Ｐにおいても配送伝票と納品書を一体化した１つの媒体で作製でき、かつ納品書の記載事項を外部から判読できないように隠蔽した状態で発送できる。また、シート体１１は台紙１１−１と上紙１１−２を貼合して印字面に段差をなくした構成になっており、ＮＩＰ印字適性が良好で両面印字が可能であるため、配送伝票と納品書に記載すべき共通情報を同時に印字して情報のマッチングミスを未然に防ぐことが可能になる。
【図面の簡単な説明】
【００６９】
【図１】第１実施形態のラベル帳票を示す（ａ）表面側平面図，（ｂ）裏面側平面図。
【図２】同ラベル帳票の台紙を示す（ａ）表面側平面図，（ｂ）裏面側平面図。
【図３】同ラベル帳票の上紙を示す（ａ）表面側平面図，（ｂ）裏面側平面図。
【図４】図１の（ａ）Ａ−Ａ線断面図，（ｂ）Ｂ−Ｂ線断面図，（ｃ）Ｃ−Ｃ線断面図。
【図５】同ラベル帳票の使用形態を示す説明図。
【図６】第２実施形態のラベル帳票を示す（ａ）表面側平面図，（ｂ）裏面側平面図。
【図７】同ラベル帳票の台紙を示す（ａ）表面側平面図，（ｂ）裏面側平面図。
【図８】同ラベル帳票の上紙を示す（ａ）表面側平面図，（ｂ）裏面側平面図。
【図９】図６の（ａ）Ａ−Ａ線断面図，（ｂ）Ｂ−Ｂ線断面図，（ｃ）Ｃ−Ｃ線断面図。
【図１０】同ラベル帳票の使用形態を示す説明図。
【図１１】従来の商品配送時の様子を示す説明図。
【符号の説明】
【００７０】
Ｐ  ラベル帳票
Ｐ１  ラベル部
Ｐ２  帳票部
Ｐ２１  伝票記載片
Ｐ２１１  本票
Ｐ２１２  分離票
Ｐ２２  情報記載片
１１  シート体
１１−１  台紙
１１−２  上紙
１２  切り取り線
１３  折り線（またはミシン目）
１４  剥離剤層
１５  切り取り線
１６  粘着剤層
２２  切り取り線
２３  切り取り線
２４  粘着剤層
２５  切り取り線
２６  剥離剤層
２７  切り取り線
２８  輪郭切り取り線
２９  コーナーカット部
３１  配送情報記載欄
３２  隠蔽情報記載欄
【図１】
2005125599.tif 000003
【図２】
2005125599.tif 000004
【図３】
2005125599.tif 000005
【図４】
2005125599.tif 000006
【図５】
2005125599.tif 000007
【図６】
2005125599.tif 000008
【図７】
2005125599.tif 000009
【図８】
2005125599.tif 000010
【図９】
2005125599.tif 000011
【図１０】
2005125599.tif 000012
【図１１】
2005125599.tif 000013